(57)【要約】      （修正有）【課題】パンチ穴の開いた用紙を綴じて保管するファイルにおいて、ファイルの開閉や閲覧などの作業によって用紙の角がめくれることを防ぐための簡単で効果的なファイル用補助シートを提供する。【解決手段】補助シートは、長さが用紙の縦の長さに略等しく、幅が用紙の横方向の端とそれに近いパンチ穴の中心との距離の略２倍に等しく、シートの長手方向の中央部分に２つの穴２があり、２つの穴は用紙のパンチ穴と同じ間隔で配置され、シートは用紙に比較して折り曲げにくい材質または厚みからなる。【選択図】図１
0003223845.tif 000002
【実用新案登録請求の範囲】
【請求項１】
パンチ穴の開いた用紙を閉じるためのファイルに補助的に使用するシートであって、前記シートの長さが前記用紙の縦の長さに略等しく、前記シートの幅が前記用紙のパンチ穴の中心とパンチ穴に最も近い前記用紙の端までの距離の略２倍に等しく、前記シートの長手方向の中央部分に２つの穴があり、前記２つの穴は前記用紙のパンチ穴と同じ間隔で配置され、前記シートは前記用紙に比較して折り曲げにくい材質または厚みからなることを特徴とするファイル用補助シート。
【請求項２】
前記シートの材質が紙であり、前記シートの厚さが用紙の厚みより厚いことを特徴とする請求項１記載のファイル用補助シート。
【請求項３】
前記シートの幅方向の一端から前記シートの２つの穴の中心までの距離が、前記用紙の横方向の一端から前記用紙のパンチ穴の中心までの距離に等しく、前記シートの幅方向の他端から前記シートの２つの穴の中心までの距離が前記用紙の横方向の一端から前記用紙のパンチ穴の中心までの距離以下であることを特徴とする請求項１記載のファイル用補助シート。
【考案の詳細な説明】
【技術分野】
【０００１】
本考案は、パンチ穴の開いた用紙を閉じるためのファイルに補助的に使用する補助シートに関するものである。
【背景技術】
【０００２】
パンチ穴の開いた複数枚の用紙を閉じるためのファイルには種々のものがあるが、ファイルの表表紙と裏表紙を構成する１枚の厚紙を２つに折り、折り目近傍に用紙のパンチ穴に対応する切り目があり、裏表紙の切り目に用紙を固定するためのファスナーを通して、さらにこのファスナーに用紙のパンチ穴を通してファスナーを折り曲げ用紙を固定する方式のファイルが多用されている。
【０００３】
この種のファイルは、構成要素に無駄がなく簡単でかつ安価な点が優れている。しかし、とくにＡ４用紙などの場合は用紙のパンチ穴から用紙の上端または下端までの距離が長いため、綴じる用紙の枚数が少し多くなると、ファイルを開閉したときやファイルを開いたまま作業をしているときに、用紙のパンチ穴がある側の上端および下端が折れたりめくれたりする欠点がある。用紙を固定するためのファスナーやバインダーに関する技術は報告されているが、用紙の上端又は下端が折れたりめくれたりするのを防ぐための工夫はこれまで報告されていない。
【先行技術文献】
【特許文献】
【０００４】
【特許文献１】実開平６−５５７７０
【特許文献２】実開平７−２６１６９
【特許文献３】特許第５１２４７５８号
【特許文献４】特開２００４−３３８１４２
【考案の概要】
【考案が解決しようとする課題】
【０００５】
本考案は、とくにパンチ穴から用紙の上端又は下端までの距離が比較的長いサイズの用紙に多用されているファイルにおいて、ファイルの開閉によって用紙の角が折れたりめくれたりすることを防ぐための簡単で効果的なファイル用補助シートを提供しようとするものである。
【課題を解決するための手段】
【０００６】
パンチ穴の開いた用紙を閉じるためのファイルに補助的に使用するシートであって、前記シートの長さが前記用紙の縦の長さに略等しく、前記シートの幅が前記用紙の横方向の端とそれに近いパンチ穴の中心との距離の略２倍に等しく、前記シートの長手方向の中央部分に２つの穴があり、前記２つの穴は前記用紙のパンチ穴と同じ間隔で配置され、前記シートは前記用紙に比較して折り曲げにくい材質または厚みからなることを特徴とするファイル用補助シートを提供する。
【考案の効果】
【０００７】
長さが用紙の縦の長さにほぼ等しく、幅がパンチ穴と用紙の端までの距離の略２倍で、用紙より折れにくい材質または厚みを有し、長手方向の中央部分にパンチ穴のある本考案のファイル用補助シートをファイルされた用紙の一番上に載せてファスナーで固定すると、用紙のパンチ穴の上端及び下端の角の部分が折れ曲がりにくいファイル用補助シートで覆われるため、用紙の角が折れたりめくれたりすることを防ぐことができる。補助シートの取付け取外しは容易で、さらに、このシートは極めて簡単な構造で材料に厚紙などを用いれば自然環境にも優しくかつ安価に製造することができる。
【図面の簡単な説明】
【０００８】
【図１】本考案によるファイル用補助シートの平面図。（Ａ）は形状を示す図、（Ｂ）は、実施例における各部の寸法を示す図である。
【図２】ファイルに用紙を綴じた状態（Ａ）と綴じた用紙の角がめくれた状態（Ｂ）を示す図
【図３】ファイル用補助シートにより角のめくれが防止されることを示す図
【図４】ファイル用補助シートの穴の中心から幅方向の一端までの距離が、他端までの距離より短い実施例を示す図
【図５】図４のファイル補助シートを使用して用紙をファイルした場合の図
【考案を実施するための形態】
【０００９】
図１〜図５を用いて、以下に本考案を実施するための実施例について説明する。
【実施例】
【００１０】
図１は、本考案によるファイル用補助シート１の平面図であり、（Ａ）はその形状を示す図、（Ｂ）は各部の寸法を示す図である。ファイル用補助シート１は、厚さが０．４ｍｍほどで細長い形状の厚紙でできており、中央部分に２つの穴２が開いている。
【００１１】
図１（Ｂ）には、Ａ４サイズの用紙に使用される場合のファイル用補助シート１の各部の寸法を示してあり、長さはＡ４サイズの用紙の縦方向の長さ２９８ｍｍに等しく、上端３および下端４からそれぞれ１０９ｍｍの位置に２つの穴２があり、穴２の中心間隔は用紙のパンチ穴１１の間隔に等しい８０ｍｍである。穴２の直径はパンチ穴１１の直径と同じ６ｍｍである。
【００１２】
ファイル用補助シート１の幅は２５ｍｍであり、穴２の中心位置は幅方向の両端からそれぞれ１２．５ｍｍである。通常のパンチで用紙にパンチ穴１１を開けると、パンチ穴１１の中心位置は用紙の端から１２．５ｍｍの位置にあり、図２の用紙の左端１３とファイル用補助シート１の左端５を揃えて重ねた時に両者の穴の位置が一致するようにしてある。
【００１３】
図２は、本考案のファイル用補助シート１を用いずにファイルに用紙１０を綴じた状態を示す図である。ファイルは、表表紙８と裏表紙７および中央部分にある紙の厚さを吸収するための背表紙９からなる１枚の厚紙でできており、裏表紙７に設けられた切り目にファスナー１２を通し、そこに用紙１０のパンチ穴１１を通してファスナー１２で綴じるようになっている。（Ａ）は用紙の枚数が少ない場合あるいは用紙を閉じたばかりの状態を示している。この場合は用紙１０の左上あるいは左下の角が折れ曲がったりめくれたりすることはほとんどない。
【００１４】
図２（Ｂ）は綴じる用紙１０を継ぎ足して重ねてゆき厚くなった場合、とくにファイルの開け閉めを何度も行ってファイルの内容を閲覧、引用するなどファイルを活用した場合で、手や腕を触れた時、あるいはファイルをたたむときに次第に用紙の左上の部分１４が折れてめくれた状態になることを示している。実際には左上とは限らず左下であったりあるいはその両方がめくれたりする。
【００１５】
図３は、本考案のファイル用補助シート１を用いた場合の図である。ファイル用補助シート１の上端３、下端４、左端５は、それぞれ用紙１０の左上端、左下端、左端１３に一致しており、用紙のパンチ穴１１とファイル用補助シート1の穴２の位置も一致している。用紙１０の左上あるいは左下の部分は、０．４ｍｍ程度の折れ曲がることのない厚紙でできたファイル用補助シート１で覆われているので、折れ曲がったりめくれたりすることはない。
【００１６】
図４は、ファイル用補助シートの穴の中心の位置を左端５から１２．５ｍｍ、右端６からそれより短い８．５ｍｍとした場合のファイル用補助シートの図である。図５は、このファイル用補助シートを用いて用紙を綴じた場合の図である。用紙１０の左端１３からパンチ穴１１の中心までの距離とファイル用補助シート１の左端５から穴２までの距離は等しいので、用紙の左端１３とファイル用補助シートの左端５は一致する。一方、ファイル用補助シート１の穴2から右端６までの距離が短くなるので、ファイル用補助シートで用紙１０が隠れる部分が少なくなり、ファイルされた用紙の見える部分を広くすることができる利点がある。
【産業上の利用可能性】
【００１７】
本考案のファイル用補助シートを用いてファイルに用紙をとじることによって角の折れ曲がりやめくれを防ぐことができ、安心してファイルを活用した効率的な事務作業が可能になる。形状がきわめて簡単で材料も紙なので安価に作成することができ、廃棄する場合も地球環境に優しい特徴がある。
【符号の説明】
【００１８】
１  ファイル用補助シート
２  ファイル用補助シートの穴
３  ファイル用補助シートの上端
４  ファイル用補助シートの下端
５  ファイル用補助シートの左端
６  ファイル用補助シートの右端
７  ファイルの裏表紙
８  ファイルの表表紙
９  ファイルの背表紙
１０  ファイルされた用紙
１１  用紙のパンチ穴
１２  用紙固定用ファスナー
１３  用紙の左端
１４  用紙の角が折れた部分
【図１】
0003223845.tif 000003
【図２】
0003223845.tif 000004
【図３】
0003223845.tif 000005
【図４】
0003223845.tif 000006
【図５】
0003223845.tif 000007